(57)【要約】 【課題】読影レポート作成画面に添付された乳房画像の視認性を向上させる。【解決手段】レポート生成管理装置１０の制御部１１は、通信部１４を介して、画像ビューワ端末から乳房画像データを取得する。制御部１１は、この乳房画像データにスキンラインを強調する処理（スキンライン検出処理やエッジ強調処理）を施し、レポート生成画面（読影レポート作成画面）に貼り付けるレポート添付画像を生成する。制御部１１は、スキンラインが強調されたレポート添付画像を貼り付けたレポート生成画面を表示部１３に表示させる。【選択図】図４
2010227209.tif 000002
【特許請求の範囲】
【請求項１】
表示手段と、
乳房画像データを取得する取得手段と、
前記乳房画像データに対して、スキンラインを強調する画像処理を施し、前記表示手段を制御して、前記画像処理が施された乳房画像を、当該乳房画像の読影レポートの作成に供する読影レポート作成画面上に表示させる制御手段と、
を備える読影レポート作成支援装置。
【請求項２】
前記制御手段は、前記乳房画像データを解析してスキンラインを検出し、前記表示手段を制御して、当該検出したスキンライン上にスキンライン強調線を表示させる、
請求項１に記載の読影レポート作成支援装置。
【請求項３】
前記取得手段は、前記乳房画像データを高精度表示する画像ビューワから当該乳房画像データを取得する、
請求項１又は２に記載の読影レポート作成支援装置。
【請求項４】
コンピュータを、
表示手段、
乳房画像データを取得する取得手段、
前記乳房画像データに対して、スキンラインを強調する画像処理を施し、前記表示手段を制御して、前記画像処理が施された乳房画像を、当該乳房画像の読影レポートの作成に供する読影レポート作成画面上に表示させる制御手段、
として機能させるためのプログラム。
【発明の詳細な説明】
【技術分野】
【０００１】
本発明は、読影レポート作成支援装置及びプログラムに関する。
【背景技術】
【０００２】
病院や診療所等の医療施設では、乳房撮影装置（モダリティ）等を用いて患者の乳房の撮影が行われ、乳房画像（乳房画像データ）が生成される。読影医は、生成された乳房画像を読影画面に表示させ、レポート生成画面（読影レポート作成画面）上でこの乳房画像に対する読影レポートを作成する。
【０００３】
例えば、読影レポートを作成するためのシステムとして、画像生成装置で生成された画像データに対して所定の画像解析を行い、追加撮影等の必要性およびその種類を客観的に判断する追加撮影判断部が組み込まれた画像品質検査用端末を含んだ医用画像処理システムが開示されている（特許文献１参照）。
【先行技術文献】
【特許文献】
【０００４】
【特許文献１】特開２００６−５１１９８号公報
【発明の概要】
【発明が解決しようとする課題】
【０００５】
ところで、レポート生成画面には、読影画面上に表示された乳房画像が添付画像として表示される。レポート生成画面に表示された添付画像は、サイズが小さく、読影画面に表示された乳房画像に比べて視認性が悪い。
【０００６】
本発明は、上述した課題に鑑みて為されたものであり、その目的とするところは、読影レポート作成画面に添付された乳房画像の視認性を向上させることである。
【課題を解決するための手段】
【０００７】
上記の課題を解決するために、請求項１に記載の読影レポート作成支援装置は、
表示手段と、
乳房画像データを取得する取得手段と、
前記乳房画像データに対して、スキンラインを強調する画像処理を施し、前記表示手段を制御して、前記画像処理が施された乳房画像を、当該乳房画像の読影レポートの作成に供する読影レポート作成画面上に表示させる制御手段と、
を備える。
【０００８】
請求項２に記載の発明は、請求項１に記載の発明において、
前記制御手段は、前記乳房画像データを解析してスキンラインを検出し、前記表示手段を制御して、当該検出したスキンライン上にスキンライン強調線を表示させる。
【０００９】
請求項３に記載の発明は、請求項１又は２に記載の発明において、
前記取得手段は、前記乳房画像データを高精度表示する画像ビューワから当該乳房画像データを取得する。
【００１０】
請求項４に記載のプログラムは、
コンピュータを、
表示手段、
乳房画像データを取得する取得手段、
前記乳房画像データに対して、スキンラインを強調する画像処理を施し、前記表示手段を制御して、前記画像処理が施された乳房画像を、当該乳房画像の読影レポートの作成に供する読影レポート作成画面上に表示させる制御手段、
として機能させる。
【発明の効果】
【００１１】
請求項１、４に記載の発明によれば、乳房画像データを取得し、当該乳房画像データに対して、スキンラインを強調する画像処理を施し、前記画像処理が施された乳房画像を、当該乳房画像の読影レポートの作成に供する読影レポート作成画面上に表示する。
【００１２】
そのため、読影レポート作成画面に添付された乳房画像の視認性を向上させることができる。
【００１３】
請求項２に記載の発明によれば、読影レポート作成画面に添付された乳房画像の視認性を更に向上させることができる。
【００１４】
請求項３に記載の発明によれば、読影レポート作成画面に添付された、画像ビューワから取得した乳房画像の視認性を向上させることができる。
【図面の簡単な説明】
【００１５】
【図１】放射線科システムのシステム構成の一例を示すシステム構成図である。
【図２】乳房画像データオブジェクトのデータ構成図である。
【図３】画像ビューワ端末のブロック図である。
【図４】レポート生成管理装置のブロック図である。
【図５】マンモグラム検査における読影レポートと医用画像の関係を示すイメージ図である。
【図６】マンモグラム検査における読影レポートのデータモデル図である。
【図７】読影レポートデータオブジェクトのデータ構成図である。
【図８】レポート生成管理装置や画像ビューワ端末が行う具体的な動作を示すフローチャート図である。
【図９】スキンライン検出処理のイメージ図である。
【図１０】読影画面の画面例である。
【図１１】レポート生成画面の画面例である。
【発明を実施するための形態】
【００１６】
以下、本発明の読影レポート作成支援装置を図１のレポート生成管理装置１０に適用した場合の実施形態について図１〜図１１を参照して説明する。
【００１７】
[放射線科システムのシステム構成]
先ず、レポート生成管理装置１０を有する放射線科システム１００の概要について図１を用いて説明する。
【００１８】
図１は、放射線科システム１００のシステム構成の一例を示すブロック図である。図１によれば、放射線科システム１００は、レポート生成管理装置１０と、モダリティ２０と、画像ビューワ端末３０と、ＰＡＣＳ４０と、から構成されている。上記の各装置はＬＡＮ（Local Area Network）等の通信ネットワークＮを介してデータ通信可能に接続されている。
【００１９】
モダリティ２０は、患者の乳房を撮影し、撮影画像（乳房画像）の画像データ（実画像データ）を生成する乳房撮影装置である。以下、乳房撮影装置による検査をマンモグラム検査と称す。
【００２０】
モダリティ２０は、図示しないＲＩＳ（放射線情報システム）からオーダ情報を受信する。ＲＩＳとは、放射線科システム１００内の情報を統括的に管理するシステムである。オーダ情報とは、撮影や診断の検査オーダの内容を示すデータである。
【００２１】
モダリティ２０は、ＲＩＳから受信した検査オーダ情報に基づいて、生成した乳房画像の実画像データに関する各種情報（患者情報、検査情報及びシリーズ情報等）を有する付帯情報を生成する。そして、モダリティ２０は、実画像データに付帯情報を付帯させ、ＤＩＣＯＭ規格に則った乳房画像データを生成する。モダリティ２０は、生成した乳房画像データをＰＡＣＳ４０に送信する。
【００２２】
図２に、乳房画像１枚分に相当する乳房画像データ（以下、乳房画像データオブジェクトと称す）のデータ構成を示す。乳房画像データオブジェクトは、前述の通り、乳房画像１枚分に相当する実画像データと当該実画像データに関する付帯情報とから成る。付帯情報は、患者情報、検査情報及びシリーズ情報等を含む。
【００２３】
図１に戻り、ＰＡＣＳ４０は、モダリティ２０において生成された乳房画像データを保存管理し、検索やデータ解析を行うデータベースシステムである。ＰＡＣＳ４０は、制御部や記憶部、通信部等を備えて構成され、モダリティ２０から受信した乳房画像データに含まれる付帯情報に基づいて当該乳房画像データを、例えば、リレーショナルデータベースに蓄積記憶していく。そして、ＰＡＣＳ４０は、読影医等の操作指示に応じて指定された患者ＩＤや検査ＩＤ等を検索キーとして乳房画像データを検索し、画像ビューワ端末３０や図示しないイメージャに出力する。また、ＰＡＣＳ４０は、患者ＩＤや検査ＩＤ等の検索キーを含む乳房画像データ取得要求を外部機器から受信すると、この取得要求に応じた乳房画像データを検索して外部機器に提供（送信）する。
【００２４】
画像ビューワ端末３０は、乳房画像データを表示するビューワ機能を有しており、読影医等の読影に供する端末である。画像ビューワ端末３０は、乳房画像データ取得要求をＰＡＣＳ４０に送信し、ＰＡＣＳ４０から取得要求に応じた乳房画像データを取得する。そして、画像ビューワ端末３０は、取得した乳房画像データを含む読影画面３３１を表示する。また、画像ビューワ端末３０は、ユーザ操作により、取得した乳房画像データに対するアノテーション情報を生成する。そして、画像ビューワ端末３０は、取得した乳房画像データをアノテーション情報と共に、レポート生成管理装置１０に送信する。
【００２５】
レポート生成管理装置１０は、乳房画像データの読影レポートを生成するレポート生成機能と、生成した読影レポートを管理するレポート管理機能と、を有している。
【００２６】
レポート生成管理装置１０は、画像ビューワ端末３０から乳房画像データとアノテーション情報とを受信する。レポート生成管理装置１０は、画像ビューワ端末３０から受信した乳房画像データの実画像データに対して、スキンラインを強調する画像処理を施す。「スキンライン」とは、画像に写る乳房領域と背景領域との境界となるラインである。
【００２７】
レポート生成管理装置１０は、画像処理の施された乳房画像データに基づいて、レポート添付画像を生成する。レポート生成管理装置１０は、このレポート添付画像と画像ビューワ端末３０から受信したアノテーション情報とを含むレポート生成画面（読影レポート作成画面）１３１を表示する。レポート生成管理装置１０は、読影医等の操作指示に基づいて、読影レポート（読影レポートデータ）を生成する。レポート生成管理装置１０は、生成した読影レポートを保存し管理する。
【００２８】
[画像ビューワ端末の機能的構成]
図３に、画像ビューワ端末３０の機能的構成を示す。
【００２９】
図３に示すように、画像ビューワ端末３０は、制御部３１、操作部３２、表示部３３、通信部３４、記憶部３５を備えて構成され、各部はバス３６により接続されている。
【００３０】
制御部３１は、ＣＰＵ（Central Processing Unit）、ＲＡＭ（Random Access Memory）等から構成され、画像ビューワ端末３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００３１】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３２】
表示部３３は、高精細のＬＣＤ（Liquid Crystal Display）により構成され、制御部３１から入力される表示データに基づいて各種画面を表示する。
【００３３】
通信部３４は、ＬＡＮ（Local Area Network）アダプタ、ルータ、ＴＡ（Terminal Adapter）等を備え、通信ネットワークＮを介して接続されたレポート生成管理装置１０、ＰＡＣＳ４０等の外部機器との間でデータの送受信を行う。
【００３４】
記憶部３５は、ハードディスク等から構成され、制御プログラム、当該プログラムの実行に必要なパラメータやファイル等を記憶している。
【００３５】
制御部３１は、通信部３４を介してレポート生成管理装置１０から画像表示命令を受信すると、この画像表示命令に基づいて乳房画像データ取得要求を生成する。そして、制御部３１は、生成した乳房画像データ取得要求を通信部３４を介してＰＡＣＳ４０に送信する。
【００３６】
制御部３１は、通信部３４を介してＰＡＣＳ４０から乳房画像データ取得要求に応じた乳房画像データを取得すると、この乳房画像データに基づいて、表示部３３に乳房画像や付帯情報を読影画面３３１に表示させる。
【００３７】
また、制御部３１は、ユーザ操作による操作部３２からの操作信号等に基づいて、表示部３３に表示された読影画面３３１上の乳房画像に対するアノテーション情報を生成する。制御部３１は、取得した乳房画像データと生成したアノテーション情報とをレポート生成管理装置１０に送信する。
【００３８】
[レポート生成管理装置の機能的構成]
図４に、レポート生成管理装置１０の機能的構成を示す。
【００３９】
図４に示すように、レポート生成管理装置１０は、制御部１１、操作部１２、表示部１３、通信部１４、記憶部１５を備えて構成され、各部はバス１６により接続されている。
【００４０】
制御部１１は、ＣＰＵ、ＲＡＭ等から構成され、レポート生成管理装置１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００４１】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００４２】
表示部１３は、ＬＣＤにより構成され、制御部１１から入力される表示データに基づいて各種画面を表示する。
【００４３】
通信部１４は、ＬＡＮアダプタ、ルータ、ＴＡ等を備え、通信ネットワークＮを介して接続された画像ビューワ端末３０等の外部機器との間でデータの送受信を行う。
【００４４】
記憶部１５は、ハードディスク等から構成され、制御プログラム、当該プログラムの実行に必要なパラメータやファイル等を記憶している。記憶部１５は、レポートＤＢ１５１を記憶する。レポートＤＢ１５１とは、読影レポートデータを記憶管理するデータベースである。
【００４５】
制御部１１は、通信部１４を介して画像ビューワ端末３０から乳房画像データを取得すると、この乳房画像データの画像実データに対して、スキンラインを強調する画像処理を施す。制御部１１は、画像処理を施した乳房画像データに基づいて、レポート添付画像を生成する。制御部１１は、レポート添付画像を貼り付けたレポート生成画面（読影レポート作成画面）１３１を表示部１３に表示させる。このレポート添付画像では、スキンラインが強調されているため、読影医等のユーザの視認性が向上する。
【００４６】
また、制御部１１は、通信部１４を介して画像ビューワ端末３０から乳房画像データと共に、この乳房画像データに対するアノテーション情報を取得すると、レポート生成画面１３１に、更にアノテーション情報を表示部１３に表示させる。
【００４７】
そして、制御部１１は、ユーザ操作による操作部１２からの操作信号等に基づいて、読影レポートデータを生成する。制御部１１は、生成した読影レポートデータを記憶部１５のレポートＤＢ１５１に記憶させて管理する。
【００４８】
図５に、マンモグラム検査における読影レポートと乳房画像の関係を示すイメージ図を示す。図５に示すように、マンモグラム検査は、右乳房検査と左乳房検査とで構成される。
【００４９】
右乳房検査では、ＭＬＯ（外斜位方向）で撮影された乳房画像（右乳房ＭＬＯ画像）と、ＣＣ（頭尾方向）で撮影された乳房画像（右乳房ＣＣ画像）とがモダリティ２０において生成される。また、右乳房ＭＬＯ画像と右乳房ＣＣ画像の読影レポート（右乳房レポート）が生成される。この右乳房レポートは、部分レポートである。部分レポートについては後述する。
【００５０】
左乳房検査でも同様に、ＭＬＯ（内外斜位方向）で撮影された乳房画像（左乳房ＭＬＯ画像）と、ＣＣ（頭尾方向）で撮影された乳房画像（左乳房ＣＣ画像）とがモダリティ２０において生成される。また、左乳房ＭＬＯ画像と左乳房ＣＣ画像の読影レポート（左乳房レポート）が生成される。この左乳房レポートは、部分レポートである。
【００５１】
また、マンモグラム検査では、右乳房レポートと左乳房レポートとを総合判定した読影レポート（総合レポート）が生成される。
【００５２】
図６に、マンモグラム検査における読影レポート（読影レポートデータ）のデータモデル図を示す。レポートＤＢ１５１では、このデータモデルに従って、検査、読影レポート、乳房画像等を関連付けている。図６に示すように、マンモグラム検査において、読影レポートは一検査毎に生成される。一検査分の読影レポートデータを読影レポートデータオブジェクトと称す。
【００５３】
前述のように、マンモグラム検査には、２つの部分検査が含まれる。具体的に、２つの部分検査とは、右乳房検査と左乳房検査である。各部分検査では、乳房画像２枚分の乳房画像データ、即ち、２つの乳房画像データオブジェクトが生成される。具体的に、１つは、モダリティ２０においてＭＬＯで撮影された乳房画像（右乳房ＭＬＯ画像、左乳房ＭＬＯ画像）に対応するデータ、もう１つは、ＣＣで撮影された乳房画像（右乳房ＣＣ画像、左乳房ＣＣ画像）に対応するデータである。
【００５４】
一検査分の読影レポートには、２つの部分レポートと１つの総合レポートとが含まれる。部分レポートとは、部分検査における読影レポートである。即ち、一検査分の読影レポートには、右乳房検査における読影レポート（右乳房レポート）と左乳房検査における読影レポート（左乳房レポート）とが含まれる。総合レポートとは、各部分検査を総合判定した読影レポート（総合レポート）である。即ち、一検査分の読影レポートには、右乳房検査と左乳房検査とを総合判定した読影レポートが含まれる。１つの部分検査の部分レポートのデータを部分レポートデータオブジェクトと称す。また、１つの総合レポートのデータを総合レポートデータオブジェクトと称す。
【００５５】
図７に、レポートＤＢ１５１に記憶管理されている読影レポートデータオブジェクトのデータ構成図を示す。図７に示すように、読影レポートデータオブジェクトは、１つの総合レポートデータオブジェクトと、２つの部分レポートデータオブジェクトとを含む。また、部分レポートデータオブジェクトには、部分判定情報が含まれる。総合レポートデータオブジェクトには、総合判定情報が含まれる。レポートＤＢ１５１には、一又は複数の読影レポートデータオブジェクトが記憶される。
【００５６】
[レポート生成管理装置等の具体的な動作]
次に、レポート生成管理装置１０や画像ビューワ端末３０が行う具体的な動作について、図８を用いて説明する。
【００５７】
ユーザは、レポート生成管理装置１０の操作部１２に対して、読影レポート生成（読影作業）を行う検査を選択する操作を行う。制御部１１は、操作部１２からの操作信号に基づいて、読影レポート生成の対象となる検査を選択する（ステップＳ１）。
【００５８】
そして、制御部１１は、ステップＳ１において選択された検査の検査ＩＤや、この検査対象となった患者の患者ＩＤ等を含む画像表示命令を生成する。制御部１１は、生成した画像表示命令を画像ビューワ端末３０に通信部１４を介して送信する（ステップＳ２）。
【００５９】
画像ビューワ端末３０の制御部３１は、通信部３４を介してレポート生成管理装置１０から画像表示命令を受信（取得）すると、対象となる検査に対応する乳房画像データをＰＡＣＳ４０から取得する（ステップＳ３）。具体的に、制御部３１は、取得した画像表示命令に含まれる患者ＩＤや検査ＩＤを検索キーとする。制御部３１は、この検索キーを含む乳房画像データ取得要求を生成する。制御部３１は、生成した乳房画像データ取得要求をＰＡＣＳ４０に通信部３４を介して送信する。そして、制御部３１は、ＰＡＣＳ４０から取得要求に応じた乳房画像データを通信部３４を介して受信する。ここで、取得要求に応じた乳房画像データとは、右乳房ＭＬＯ画像、右乳房ＣＣ画像、左乳房ＭＬＯ画像、左乳房ＣＣ画像に対応する４つの乳房画像データオブジェクトである。
【００６０】
制御部３１は、ＰＡＣＳ４０から取得した乳房画像データを表示部３３に表示させる（ステップＳ４）。即ち、制御部３１は、読影画面３３１を表示部３３に表示させる。具体的に、制御部３１は、高精細モニタに、右乳房ＭＬＯ画像、右乳房ＣＣ画像、左乳房ＭＬＯ画像、左乳房ＣＣ画像と、それぞれの画像に対応する付帯情報を表示させる。読影画面３３１については後述する。
【００６１】
読影医は、高精細モニタに表示された乳房画像を参照し、読影作業を行う。例えば、読影医は、乳房画像上に、アノテーションを作成する。
【００６２】
制御部３１は、ユーザ操作による操作部３２からの操作信号等に基づいて、表示部３３に表示された乳房画像に対するアノテーション情報を生成する（ステップＳ５）。
【００６３】
制御部３１は、ＰＡＣＳ４０から取得した乳房画像データ（４つの乳房画像データオブジェクト）と生成したアノテーション情報とをレポート生成管理装置１０に通信部３４を介して送信する（ステップＳ６）。
【００６４】
レポート生成管理装置１０の制御部１１は、通信部１４を介して、画像ビューワ端末３０から乳房画像データとアノテーション情報とを受信すると、この乳房画像データの画像実データに対して、スキンラインを強調する画像処理を施す（ステップＳ７）。具体的に、スキンラインを強調する画像処理とは、スキンライン検出処理、エッジ強調処理等である。各処理についての詳細は後述する。
【００６５】
そして、制御部１１は、画像処理を施した乳房画像データに基づいて、レポート生成画面１３１に貼り付けるレポート添付画像を生成する。そして、制御部１１は、レポート添付画像上にアノテーション情報を加えて、このレポート添付画像を貼り付けたレポート生成画面１３１を表示部１３に表示させる（ステップＳ８）。レポート生成画面１３１については後述する。
【００６６】
ユーザは、レポート生成画面１３１において、読影レポートの作成を行う。制御部１１は、ユーザ操作による操作部１２からの操作信号等に基づいて、読影レポートデータオブジェクトを生成する（ステップＳ９）。
【００６７】
そして、制御部１１は、生成した読影レポートデータオブジェクトを記憶部１５のレポートＤＢ１５１に記憶させる（保存する）（ステップＳ１０）。以上で処理が終了する。
【００６８】
[スキンライン検出処理]
図９に、スキンライン検出処理のイメージ図を示す。図９に示すように、スキンライン検出処理とは、乳房が写っている逆側の端から、乳房に向けて画像を水平方向に順次走査し、信号差が一定以上発生した地点をスキンラインとして検出し、検出したスキンライン上にスキンライン強調線を描画する処理である。
【００６９】
乳房が写っていない素抜け領域（背景領域）は、Ｘ線が物体に吸収されていないため、高い信号値となる。これに対して、乳房領域は、乳房によってＸ線が吸収されているため、素抜け領域に比べて低い信号値となる。このような特性を利用して、スキンライン検出処理は行われる。
【００７０】
[エッジ強調処理]
エッジ強調処理とは、以下のような処理をいう。即ち、原画像信号を多重解像度変換することにより複数の空間周波数帯域の非鮮鋭画像信号を得て、取得された複数の周波数帯域の非鮮鋭画像信号のうち何れかの非鮮鋭画像信号に基づいて原画像信号におけるエッジ情報を取得し、取得したエッジ情報に基づいて、原画像信号と各周波数帯域における非鮮鋭画像信号に画素値変換処理を施し、隣り合う周波数帯域の非鮮鋭画像信号との差分（原画像信号については最高周波数帯域の非鮮鋭画像信号との差分）をとるとともに、その差分信号に所定の調整係数を掛けて差分画像信号を取得する。この差分信号を原画像信号に加算することにより、エッジ強調された処理済み画像信号を得る。
【００７１】
[読影画面]
図１０に、読影画面３３１の画面例を示す。図１０に示すように、読影画面３３１上の左上の領域に右乳房ＭＬＯ画像ｄ１が、読影画面３３１上の左下の領域に右乳房ＣＣ画像ｄ２が、読影画面３３１上の右上の領域に左乳房ＭＬＯ画像ｄ３が、読影画面３３１上の右下の領域に左乳房ＣＣ画像ｄ４が表示される。
【００７２】
また、読影画面３３１上には、図示しないアノテーション選択メニューバーが表示される。アノテーション選択メニューバーは、「石灰」「腫瘤」「その他」の項目があり、これらの項目の何れかを選択し、読影画面３３１に表示されている乳房画像と当該画像上の位置を指定することにより、各項目に応じたアノテーションが、指定された乳房画像上の指定位置に描画される。また、この際、アノテーションの大きさ等も指定される。この描画されたアノテーションの情報が、アノテーション情報となる。
【００７３】
また、読影画面３３１上には、図示しない送信ボタンが表示される。送信ボタンが押下されると、読影画面３３１に表示されている乳房画像の元となる乳房画像データ（４つの乳房画像データオブジェクト）とアノテーション情報とが、レポート生成管理装置１０に送信される。
【００７４】
[レポート生成画面]
図１１に、レポート生成画面１３１を示す。図１１に示すように、レポート生成画面１３１は、総合判定設定領域Ｔ１、右乳房部分判定設定領域Ｔ２、左乳房部分判定設定領域Ｔ３、右乳房レポート記述領域Ｔ４、左乳房レポート記述領域Ｔ５等から構成される。また、右乳房レポート記述領域Ｔ４は、レポート添付画像ｄ１１、ｄ１２、病変レポートテンプレートｄ１５を含む。左乳房レポート記述領域Ｔ５は、レポート添付画像ｄ１３、ｄ１４、病変レポートテンプレートｄ１６を含む。
【００７５】
レポート添付画像ｄ１１は、右乳房ＭＬＯ画像ｄ１をレポート添付用に処理した画像である。レポート添付画像ｄ１２は、右乳房ＣＣ画像ｄ２をレポート添付用に処理した画像である。レポート添付画像ｄ１３は、左乳房ＭＬＯ画像ｄ３をレポート添付用に処理した画像である。レポート添付画像ｄ１４は、左乳房ＣＣ画像ｄ４をレポート添付用に処理した画像である。また、レポート添付画像ｄ１１〜ｄ１４には、スキンラインを強調する処理が施されている。また、レポート添付画像ｄ１１〜ｄ１４上には、アノテーションが表示される。
【００７６】
右乳房レポート記述領域Ｔ４は、右乳房レポートを記述するための領域である。ユーザは、操作部１２を介して、この右乳房レポート記述領域Ｔ４に部分レポートを記述する。また、病変レポートテンプレートｄ１５において、ユーザは、テンプレートに従って部分レポートを作成することができる。
【００７７】
右乳房部分判定設定領域Ｔ２は、右乳房レポートの部分判定を行うための領域である。ユーザは、操作部１２を介して、右乳房部分判定設定領域Ｔ２にあるカテゴリ１〜５等のボタンを選択し、右乳房レポートの部分判定を行う。ここで、異常所見がない場合、カテゴリ１が選択される。明らかに良性と診断できる所見がある場合、カテゴリ２が選択される。良性であるが、悪性を否定できない所見がある場合、カテゴリ３が選択される。悪性が疑われる所見がある場合、カテゴリ４が選択される。悪性の所見がある場合、カテゴリ５が選択される。即ち、カテゴリ１からカテゴリ５になるに連れて、悪い診断結果となる。
【００７８】
左乳房レポート記述領域Ｔ５は、左乳房レポートを記述するための領域である。ユーザは、操作部１２を介して、この左乳房レポート記述領域Ｔ５に部分レポートを記述する。また、病変レポートテンプレートｄ１６において、ユーザは、テンプレートに従って部分レポートを作成することができる。
【００７９】
左乳房部分判定設定領域Ｔ３は、左乳房レポートの部分判定を行うための領域である。ユーザは、操作部１２を介して、左乳房部分判定設定領域Ｔ３にあるカテゴリ１〜５等のボタンを選択し、左乳房レポートの部分判定を行う。
【００８０】
総合判定設定領域Ｔ１は、各部分検査を総合判定を行うための領域である。
【００８１】
また、レポート生成画面１３１上には、図示しないレポート生成ボタンが表示される。レポート生成ボタンが押下されると、読影レポートデータオブジェクトが生成され、レポートＤＢ１５１に保存される。
【００８２】
このとき、右乳房レポート記述領域Ｔ４において記述された右乳房レポートが、読影レポートデータオブジェクトの右乳房の部分レポートデータオブジェクトの値となる。更に、右乳房部分判定設定領域Ｔ２において設定された部分判定が、右乳房の部分レポートデータオブジェクトの部分判定情報となる。
【００８３】
また、左乳房レポート記述領域Ｔ５において記述された左乳房レポートが、読影レポートデータオブジェクトの左乳房の部分レポートデータオブジェクトの値となる。更に、左乳房部分判定設定領域Ｔ３において設定された部分判定が、左乳房の部分レポートデータオブジェクトの部分判定情報となる。
【００８４】
また、総合判定設定領域Ｔ１において設定された総合判定が、読影レポートデータオブジェクトの総合レポートデータオブジェクトの値となる。
【００８５】
以上、本実施形態によれば、レポート生成管理装置１０の制御部１１は、通信部１４を介して、画像ビューワ端末３０から乳房画像データを取得する。制御部１１は、この乳房画像データにスキンラインを強調する処理（スキンライン検出処理やエッジ強調処理）を施し、レポート生成画面（読影レポート作成画面）１３１に貼り付けるレポート添付画像を生成する。制御部１１は、スキンラインが強調されたレポート添付画像を貼り付けたレポート生成画面１３１を表示部１３に表示させる。
【００８６】
そのため、読影レポート作成画面に添付された乳房画像の視認性を向上させることができる。
【００８７】
尚、本実施形態では、レポート生成管理装置１０は、画像ビューワ端末３０から受信した乳房画像データの実画像データに対して、スキンラインを強調する画像処理を施すとした。しかし、レポート生成管理装置１０は、スキンラインを強調する画像処理の代わりに、又はスキンラインを強調する画像処理に加えて、アノテーションを強調する画像処理を乳房画像データの実画像データに施す構成としてもよい。
【００８８】
具体的に、レポート生成管理装置１０の制御部１１は、通信部１４を介して、画像ビューワ端末３０から乳房画像データとアノテーション情報とを受信すると、この乳房画像データの画像実データに対して、階調処理を施してコントラストを低くする。
【００８９】
この構成により、読影レポート作成画面に添付された乳房画像の視認性を向上させることができる。
【００９０】
尚、本実施形態における記述は、本発明に係る読影レポート作成支援装置の一例であり、これに限定されるものではない。システム及び各装置の細部構成及び細部動作に関しても適宜変更可能である。
【００９１】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【００９２】
１０      レポート生成管理装置
１１      制御部
１２      操作部
１３      表示部
１４      通信部
１５      記憶部
１６      バス
２０      モダリティ
３０      画像ビューワ端末
３１      制御部
３２      操作部
３３      表示部
３４      通信部
３５      記憶部
３６      バス
４０      ＰＡＣＳ
１５１    レポートＤＢ
３３１    読影画面
１３１    レポート生成画面
Ｎ        通信ネットワーク
Ｔ１      総合判定設定領域
Ｔ２      右乳房部分判定設定領域
Ｔ３      左乳房部分判定設定領域
Ｔ４      右乳房レポート記述領域
Ｔ５      左乳房レポート記述領域
【図１】
2010227209.tif 000003
【図２】
2010227209.tif 000004
【図３】
2010227209.tif 000005
【図４】
2010227209.tif 000006
【図５】
2010227209.tif 000007
【図６】
2010227209.tif 000008
【図７】
2010227209.tif 000009
【図８】
2010227209.tif 000010
【図９】
2010227209.tif 000011
【図１０】
2010227209.tif 000012
【図１１】
2010227209.tif 000013